(57)【要約】【課題】壁材に低降伏点鋼で製作された波形鋼板又は剛性波形鋼板を使用した制震壁、及び前記の制震壁を具備する制震構造物を提供する。【解決手段】水平力で層間変形を発生する周辺架構の面内に、低降伏点鋼で製作された波形鋼板が、その波形の筋を水平方向に向けた配置で組み入れられ、波形鋼板の横辺が山と谷の中央にある中心軸上から外して周辺架構と水平力の伝達が可能に接合されており、前記波形鋼板の上下の横辺は前記中心軸を挟んで反対側にある。【選択図】図１
2010084514.tif 000002
【特許請求の範囲】
【請求項１】
構造物の骨組構造を構成し水平力で層間変形を発生する周辺架構の面内に、低降伏点鋼で製作された波形鋼板が、その波形の筋を水平方向に向けた配置で組み入れられ、前記波形鋼板の横辺が山と谷の中央にある中心軸上から外して周辺架構と水平力の伝達が可能に接合されており、前記波形鋼板の上下の横辺は前記中心軸を挟んで反対側にあることを特徴とする、制震壁。
【請求項２】
前記波形鋼板の横辺だけが周辺架構の梁と水平力の伝達が可能に接合されたことを特徴とする、請求項１に記載の制震壁。
【請求項３】
前記波形鋼板の縦辺には山と谷を挟み込む縦枠部材がないことを特徴とする、請求項１又は２に記載の制震壁。
【請求項４】
前記波形鋼板の縦辺とこれに相対峙する周辺架構の内面との間に剪断変形を許容する隙間を設け、又は前記隙間に剪断変形吸収部材が充填されていることを特徴とする、請求項１〜３の何れか１項に記載した制震壁。
【請求項５】
水平力で層間変形を発生する周辺架構の面内に、普通鋼板で製作された波形鋼板における波形の一部分を低降伏点鋼板と置換して成る合成波形鋼板が、その波形の筋を水平方向に向けた配置で組み入れられ、周辺架構と合成波形鋼板とが水平力の伝達が可能に接合されていることを特徴とする、制震壁。
【請求項６】
請求項１〜４の何れか１項に記載した波形鋼板と周辺架構との接合は、周辺架構が鉄筋コンクリート造又は鉄骨鉄筋コンクリート造である場合、前記波形鋼板の周辺部にスタッドを設けてコンクリート部分の中へ埋め込み水平力の伝達が可能に接合し、又は請求項５に記載した合成波形鋼板と周辺架構との接合は、周辺架構が鉄筋コンクリート造又は鉄骨鉄筋コンクリート造である場合、前記合成波形鋼板の周辺部にスタッドを設けてコンクリート部分の中へ埋め込み水平力の伝達が可能に接合されていることを特徴とする制震壁。
【請求項７】
請求項１〜４の何れか１項に記載した波形鋼板と周辺架構との接合は、周辺架構が現場打ち又はプレキャスト製の鉄筋コンクリート造若しくは鉄骨鉄筋コンクリート造、又は鉄骨造である場合、周辺架構から架構面内に向かって設けられたジョイント部材と前記波形鋼板の周辺部とがボルト止め又は溶接で水平力の伝達が可能に接合し、又は請求項５に記載した合成波形鋼板と周辺架構との接合は、周辺架構が現場打ち又はプレキャスト製の鉄筋コンクリート造若しくは鉄骨鉄筋コンクリート造、又は鉄骨造である場合、周辺架構から架構面内に向かって設けられたジョイント部材と前記合成波形鋼板の周辺部とがボルト止め又は溶接で水平力の伝達が可能に接合されていることを特徴とする制震壁。
【請求項８】
前記合成波形鋼板の縦辺とこれに相対峙する周辺架構の内面との間に剪断変形を許容する隙間を設け、又は前記隙間に剪断変形吸収部材が充填されていることを特徴とする、請求項５〜７に記載した制震壁。
【請求項９】
請求項１〜８の何れか１項に記載した制震壁を具備することを特徴とする、制震構造物。
【発明の詳細な説明】
【技術分野】
【０００１】
この発明は、構造物の地震応答や風荷重応答を制御し又は抑制する制震壁の技術分野に属し、更に言えば、壁材に低降伏点鋼で製作された波形鋼板又は合成波形鋼板を使用した制震壁、及び前記の制震壁を具備する制震構造物に関する。
【背景技術】
【０００２】
地震や風によって構造物に発生する振動エネルギを吸収させて構造物の応答を制御し又は抑制する制震壁、及び制震構造物としては、従来、
ａ）例えば下記特許文献１に開示されたように、水平力で層間変形を発生する周辺架構の面内に組み入れた壁板と周辺枠を連結する部分にエネルギ吸収機構を設けた構造形式。
ｂ）下記特許文献２に開示されたように、塑性エネルギの吸収能力が大きい低降伏点鋼で製作した壁板を水平力で層間変形を発生する周辺架構の面内に組み入れた構造形式。
ｃ）下記特許文献３に開示されたように、水平力で層間変形を発生する周辺架構の面内の上半部に上辺フレームに固定した上半壁を設け、下半部には下辺フレームに固定した下半壁壁を設け、上半壁と下半壁との境界部分に極低降伏点鋼等で製作した履歴減衰部材を組み入れた構造形式。
ｄ）下記特許文献４及び５に開示されたように、水平力で層間変形を発生する周辺架構の面内の下辺フレームに粘性流体を収容した外容器壁を固定し、上辺フレームには前記外容器壁内に位置して粘性流体の粘性抵抗を受ける抵抗壁板を固定した粘性壁形式。
などが知られ、或いはこうした構造形式の制震壁を採用した制震構造物が知られている。
【０００３】
【特許文献１】特開２００３−１７２０４１号公報
【特許文献２】特開２００１−３１７２２７号公報
【特許文献３】特開平７−２４１５２５号公報
【特許文献４】特開平１１−７１９３５号公報
【特許文献５】特開２０００−２７４８５号公報
【発明の開示】
【発明が解決しようとする課題】
【０００４】
上述した従来の制震壁には、次のような欠点、問題点が認められる。
上記特許文献１の制震壁は、周辺架構と壁板との連結手段が特殊な構造のエネルギ吸収機構で構成されているから、高価なものである上に、メカニックな機構部分が長期の供用期間における品質保証が充分にできるか不安である。また、周辺架構と壁板との連結作業にはそれなりに熟練した専門技術を要する。
上記特許文献２の制震壁は、低降伏点鋼による壁板を柱梁架構の面内に組み込み、上下の梁と接合する構成である点を注目できるが、具体的には同公報の図３に記載されているように、矩形のフレーム内に低降伏点鋼による剪断パネルを設置するが、縦リブ、及び横リブで補強した制震パネルとして構成すると共に、上辺と下辺には上下の梁と接合するための接合プレートを設けた構成で実施される。つまり、柱梁架構の構面を全て低降伏点鋼板で構成するときは、面外力や座屈に配慮した強度及び剛性の設計の結果として、降伏耐力が大きくなり、柱梁架構への影響が大きくなって、これらの強度を大きくしなければならない（同公報の段落番号［０００７］）。その解決策として、低降伏点鋼板を前記制震パネルとして製作するときは、大変高価な制震壁になってしまい、普遍性に乏しいという問題点がある。
【０００５】
上記特許文献３の制震壁は、周辺架構の上辺フレームに上半壁を固定し、下辺フレームに下半壁を固定し、上半壁と下半壁との境界部分に極低降伏点鋼等で製作した履歴減衰部材を組み入れるという手順が要求される上に、履歴減衰部材の上縁に剪断抵抗板を取り付け、この剪断抵抗板を挟む剪断力伝達部材を上半壁の下縁に固定して設ける等々、構造の複雑さ、取り付け設置作業の面倒さがある。
上記特許文献４、５の制震壁は、粘性流体を収容した外容器壁と、前記外容器壁内に位置して粘性流体の粘性抵抗を受ける抵抗壁板を固定したいわゆる粘性壁構造であるから、先ず粘性流体の恒久的な品質保証を如何にして達成するかの問題、及び粘性流体を収容した外容器壁、及び前記外容器壁内に位置して粘性流体の粘性抵抗を受ける抵抗壁板の関係を保持しつつ、如何にして周辺架構の面内へ組み込むかの技術的な問題が大きい。
【０００６】
ところで、波形鋼板の力学的特性について着目すると、次の特徴が認められる。なお、本発明で言う波形鋼板とは、ＪＩＳ規格では「鋼板製波板」と記載され、現業では単に折り板とか波板とも称されているもので、断面形状としては図９Ａ〜Ｄに例示した台形波形状（Ａ）、矩形波形状（Ｂ）、三角波形状（Ｃ）、円弧波形状（Ｄ）などを包含する。
（剪断力に対して）
図６に例示したように、波形鋼板は、折り板になっている一枚一枚が剪断力に対して抵抗し、その集合としての全体が剪断力に抵抗する。折り板になっているので、剪断座屈長さが短く、その剪断強度を平板と比較した場合、剪断耐力ははるかに大きい。しかも、剪断耐力及び剛性は、鋼板の材質固有の強度のほか、板厚の大きさ、折り板のピッチ及び波高の大きさにより、かなり自由に制御可能である。
（軸力及び曲げに対して）
波形鋼板は折り板になっているので、波形の筋に直角な軸力に対しては、図７に例示したようにアコーディオンのごとく自由に伸び縮みして、平板に比較すると剛性、耐力ははるかに小さい。また、波形面内の曲げに対しても、図８に例示したようにアコーディオンのごとく自由に伸び縮みし、平板に比較すると剛性、耐力ははるかに小さい。
一方、波形の筋に直角な方向の面外力（曲げ及び剪断）に対する剛性、耐力は、折り板になっているので充分に大きい。しかし、波形の筋に平行な方向の面外曲げ及び剪断に対しては、折り板になっているが故に抵抗は小さいのである。
【０００７】
そこで本発明の目的は、上記した力学特性を有する波形鋼板を低降伏点鋼で製作し、又は普通鋼板で製作された波形鋼板における波形の一部分を低降伏点鋼板と置換して成る合成波形鋼板を、その波形の筋を水平方向に向けた配置で壁板に使用することにより、面内の曲げ及び剪断に対する剪断耐力及び剛性が大きく、しかもその設計自由度が高く、剪断変形時の塑性エネルギ吸収能力が大きい制震壁を提供することである。
本発明の次の目的は、波形鋼板を低降伏点鋼で製作し、又は普通鋼板で製作された波形鋼板における波形の一部分を低降伏点鋼板と置換して成る合成波形鋼板を、その波形の筋を水平方向に向けた配置で壁板に使用することにより、面外の曲げ及び剪断に対する抵抗が小さく、また、周辺架構の柱が施工時荷重によって、又は鉄筋コンクリート造又は鉄骨鉄筋コンクリート造であるが故のコンクリートのクリープ、乾燥収縮により軸方向の縮みを起こしても、壁板が軸力を負担することがなく、力学性状に悪影響を及ぼすことがなく、地震時の剪断変形に対して良好な制震機能を発揮する制震壁を提供することである。
本発明の更なる目的は、上記の如く波形鋼板を低降伏点鋼で製作し、又は普通鋼板で製作された波形鋼板における波形の一部分を低降伏点鋼板と置換して成る合成波形鋼板を、その波形の筋を水平方向に向けた配置で壁板に使用した制震壁を具備する制震構造物を提供することである。
【課題を解決するための手段】
【０００８】
上述した従来技術の課題を解決するための手段として、請求項１に記載した発明に係る制震壁は、構造物の骨組構造を構成し水平力で層間変形を発生する周辺架構の面内に、低降伏点鋼で製作された波形鋼板が、その波形の筋を水平方向に向けた配置で組み入れられ、前記波形鋼板の横辺が山と谷の中央にある中心軸上から外して周辺架構と水平力の伝達が可能に接合されており、前記波形鋼板の上下の横辺は前記中心軸を挟んで反対側にあることを特徴とする
請求項３に記載の発明は、前記波形鋼板の縦辺には山と谷を挟み込む縦枠部材がないことを特徴とする。
請求項４に記載の発明は、前記波形鋼板の縦辺とこれに相対峙する周辺架構の内面との間に剪断変形を許容する隙間を設け、又は前記隙間に剪断変形吸収部材が充填されていることを特徴とする。
請求項５に記載の発明は、水平力で層間変形を発生する周辺架構の面内に、普通鋼板で製作された波形鋼板における波形の一部分を低降伏点鋼板と置換して成る合成波形鋼板が、その波形の筋を水平方向に向けた配置で組み入れられ、周辺架構と合成波形鋼板とが水平力の伝達が可能に接合されていることを特徴とする。
請求項６に記載の発明は、波形鋼板と周辺架構との接合は、周辺架構が鉄筋コンクリート造又は鉄骨鉄筋コンクリート造である場合、前記波形鋼板の周辺部にスタッドを設けてコンクリート部分の中へ埋め込み水平力の伝達が可能に接合し、又は請求項５に記載した合成波形鋼板と周辺架構との接合は、周辺架構が鉄筋コンクリート造又は鉄骨鉄筋コンクリート造である場合、前記合成波形鋼板の周辺部にスタッドを設けてコンクリート部分の中へ埋め込み水平力の伝達が可能に接合されていることを特徴とする。
請求項７に記載の発明は、波形鋼板と周辺架構との接合は、周辺架構が現場打ち又はプレキャスト製の鉄筋コンクリート造若しくは鉄骨鉄筋コンクリート造、又は鉄骨造である場合、周辺架構から架構面内に向かって設けられたジョイント部材と前記波形鋼板の周辺部とがボルト止め又は溶接で水平力の伝達が可能に接合し、又は請求項５に記載した合成波形鋼板と周辺架構との接合は、周辺架構が現場打ち又はプレキャスト製の鉄筋コンクリート造若しくは鉄骨鉄筋コンクリート造、又は鉄骨造である場合、周辺架構から架構面内に向かって設けられたジョイント部材と前記合成波形鋼板の周辺部とがボルト止め又は溶接で水平力の伝達が可能に接合されていることを特徴とする。
請求項８に記載の発明は、前記合成波形鋼板の縦辺とこれに相対峙する周辺架構の内面との間に剪断変形を許容する隙間を設け、又は前記隙間に剪断変形吸収部材が充填されていることを特徴とする。
請求項９に記載の制震構造物は、請求項１〜８の何れか１項に記載した制震壁を具備することを特徴とする。
【発明の効果】
【０００９】
本発明の制震壁は、面内の曲げ及び剪断力に対する剪断耐力と剪断剛性に優れる上に、剪断耐力および剪断剛性の制御の自由度が大きい波形鋼板を低降伏点鋼で製作し、又は普通鋼板で製作された波形鋼板における波形の一部分を低降伏点鋼板と置換して成る合成波形鋼板を、その波形の筋を水平方向に向けた配置で壁板に使用した構成であるから、剪断変形時の塑性エネルギ吸収能力が大きく、しかも軽量であり、現場での取り付け施工が簡単で容易である。
【００１０】
本発明の制震壁は、波形鋼板を低降伏点鋼で製作し、又は普通鋼板で製作された波形鋼板における波形の一部分を低降伏点鋼板と置換して成る合成波形鋼板を、その波形の筋を水平方向に向けた配置で壁板に使用した構成であり、面外の曲げ及び剪断に対する抵抗が小さいから、この意味でも、制震壁の設計の自由度が大きいのである。
【００１１】
更に本発明の制震壁は、周辺架構の柱が施工時荷重によって、又は鉄筋コンクリート造又は鉄骨鉄筋コンクリート造であるが故のコンクリートのクリープ、乾燥収縮により軸方向の縮みを起こしても、壁板は軸力を負担せず、制震壁としての力学性状に悪影響を及ぼさず、地震時の剪断変形に対して良好な制震機能を発揮するのである。
【００１２】
本発明の制震構造物は、上記の如く波形鋼板を低降伏点鋼で製作し、又は普通鋼板で製作された波形鋼板における波形の一部分を低降伏点鋼板と置換して成る合成波形鋼板を、その波形の筋を水平方向に向けた配置で壁板に使用した制震壁を具備するから、制震壁の設計自由度が高く、構造物の躯体重量を大幅に軽減でき、また、現場における制震壁の取り付け施工を簡単、容易に行えるのである。
【図面の簡単な説明】
【００１３】
【図１】ＡとＢは本発明に係る制震壁の実施例１を示した立面図と断面図である。
【図２】図１の制震壁の荷重−変形関係を示す性能図である。
【図３】本発明に係る制震壁の実施例２を示した立面図である。
【図４】ＡとＢは本発明に係る制震壁の実施例３を示した立面図と断面図である。
【図５】ＡとＢは本発明に係る制震壁を適用した構造物の立面図と水平断面図である。
【図６】波形鋼板の剪断変形の状態を模式的に示した斜視図である。
【図７】波形鋼板の軸圧縮の状態を示した説明図である。
【図８】波形鋼板の曲げの状態を示した説明図である。
【図９】Ａ〜Ｄは波形鋼板の異なる断面形状を示した説明図である。
【発明を実施するための形態】
【００１４】
水平力で層間変形を発生する周辺架構の面内に、低降伏点鋼で製作された波形鋼板、又は普通鋼板で製作された波形鋼板における波形の一部分を低降伏点鋼板と置換して成る合成波形鋼板を、その波形の筋を水平方向に向けた配置で組み入れ、周辺架構と波形鋼板とを水平力の伝達が可能に接合して実施する。
【実施例１】
【００１５】
図１Ａ、Ｂは、請求項１記載の発明に係る制震壁の実施例を示す。
水平力で層間変形を発生する周辺架構の代表例として示した、柱１と梁２とから成る柱梁架構の架構面内に、低降伏点鋼で製作された波形鋼板３を、その波形の筋を水平方向に向けた配置で組み入れ、柱梁架構１、２と波形鋼板３とを水平力の伝達が可能に接合した構成である。
上記の特許文献２でも説明したが、低降伏点鋼板を大きな壁板として使用する場合は、通常、剪断座屈を防止するために多くの補強リブを組み入れる必要があるが、本発明で採用した波形鋼板３は基本的に折り板形状であるが故に剪断座屈長さが短く、その剪断強度を平板と比較した場合、剪断耐力ははるかに大きいので基本的に補強リブを組み入れる必要はないが、仮に必要になったとしても補強リブは少なくて済む。
それでいて、水平力に対しては、上述したように、波形鋼板３の折り板になっている一枚一枚が剪断力に対して抵抗し（図６）、その集合としての全体が剪断力に抵抗し、低降伏点鋼板に特有の剪断降伏を生じて、入力した地震エネルギを吸収し、外力の制御を可能にすると共に、波形鋼板３の履歴ダンパー効果によって構造物の変形を制御可能である。その荷重−変形関係を例示すると、図２に示したように、高耐力で変形を吸収する能力に余裕があり、靱性に優れた性状を発揮する。
【００１６】
しかも波形鋼板３は折り板になっているので、剪断耐力及び剛性は、鋼材の材質固有の強度のほか、板厚の大きさ（通例９ｍｍ〜２２ｍｍ程度）、波形のピッチ（通例５００ｍｍ〜７００ｍｍ程度）及び波高の大きさ（通例８０ｍｍ〜１５０ｍｍ程度）、波形鋼板３の重ね合わせ枚数などの設計如何により、かなり自由に制御可能である。
なお、適宜補強を行えば、９ｍｍ以下の板厚も可能であるし、せん断力の大きさに応じて２２ｍｍ以上の厚板で構成することも可能である。
【００１７】
また、波形鋼板３は折り板になっているので、波形の筋に直角な軸力、即ち鉛直力に対してはアコーディオンのごとく自由に伸び縮みし（図７）、平板に比較すると剛性、耐力ははるかに小さい。波形面内の曲げに対しても、アコーディオンのごとく自由に伸び縮みするので（図８）、平板に比較すると剛性、耐力ははるかに小さい。したがって、柱梁架構１、２の柱１が施工時荷重によって、又は鉄筋コンクリート造又は鉄骨鉄筋コンクリート造であるが故のコンクリートのクリープ、乾燥収縮により軸方向の縮みを生じても、波形鋼板３は軸力を負担せず、制震壁としての力学性状に悪影響を受けることはないから、施工時及び供用時において附加軸力が導入されることはなく、波形鋼板３の剪断座屈強度及び靱性は高く維持され、地震時の剪断変形に対しては経年変化を生ずることなく良好な制震機能を発揮する。
一方、波形の筋に直角な方向の面外力（曲げ及び剪断）に対する剛性、耐力は、折り板になっているので充分に大きいが、波形の筋に平行な方向の面外力（曲げ及び剪断）に対しては、折り板になっているが故に抵抗は小さい。よって、上記構成の制震壁を直交する２方向に配置する場合の設計の自由度は極めて高いのである。
【００１８】
次に、上述した柱梁架構１、２と波形鋼板３との水平力の伝達が可能な接合は、基本的には上下の梁２と波形鋼板３の上下辺との接合が行われる。波形鋼板３と左右の柱１との接合は、行うとしても補助的な接合である。
波形鋼板３と周辺架構とを接合する手段としては、周辺架構が鉄筋コンクリート造又は鉄骨鉄筋コンクリート造である場合は、既往技術として知られているので図示を省略したが、波形鋼板３の周辺部に例えばスタッド等の剪断力伝達要素を設けて鉄筋コンクリート造部分の中へ埋め込み水平力の伝達が可能に接合する構成が好適に実施される（請求項３に記載した発明）
【００１９】
周辺架構が現場打ち又はプレキャスト製の鉄筋コンクリート造又は鉄骨鉄筋コンクリート造、若しくは鉄骨造である場合は、やはり既往技術として知られているので図示することは省略したが、周辺架構から架構面内に向かって突き出るジョイント部材を設け、このジョイント部材と波形鋼板３の周辺部とをボルト止め又は溶接等の手段で水平力の伝達が可能に接合する（請求項４に記載した発明）。
【実施例２】
【００２０】
上記したように、波形鋼板３と柱１との接合は、行うとしても補助的な接合でしかないと説明したが、図３に示した実施例のように、波形鋼板３の縦辺とこれに相対峙する柱１の内面との間に剪断変形を許容する隙間４を積極的に設けて、大変形時におけるコンクリート造柱のコンクリート部分が波形鋼板３によって局部破壊されことを防止する構成で実施することも好ましい。但し、前記のような構成にすると、波形鋼板３は隙間４の分だけ制震壁としての剪断剛性及び耐力は低下する。その対策として、前記隙間４の部位に発泡スチロール成形品等の剪断変形伝達部材を充填して、いわゆる柔接合構造で実施することも好ましい（請求項５に記載した発明）。
【実施例３】
【００２１】
次に、図４Ａ、Ｂは、請求項２記載の発明に係る制震壁の実施例を示す。
水平力で層間変形を発生する周辺架構として例示した柱梁架構１、２の架構面内に、普通鋼板で製作された波形鋼板５における波形の一部分を低降伏点鋼板６と置換して成る合成波形鋼板とし、この合成波形鋼板を、その波形の筋を水平方向に向けた配置で組み入れ、柱梁架構１、２と合成波形鋼板５、６とを水平力の伝達が可能に接合した構成である。
普通鋼板で製作された波形鋼板５における波形の一部分を低降伏点鋼板６と置換して成る合成波形鋼板の一例として図３Ｂに示したものは、波形の山の部分（又は逆に谷の部分。）を切除して、そこに低降伏点鋼板６を溶接等の手段で接合して置き換え一体化した構成である。この場合にも、低降伏点鋼板６は波形形状をなす波形鋼板５における波形の一部分、即ち、波形の山の部分（又は逆に谷の部分。）を形成するにすぎないので、補剛リブ又は補強リブを組み入れて剪断座屈を防止する配慮は必要ない。
この合成波形鋼板５、６による制震壁は、当然のことながら、普通鋼板で製作された波形鋼板５に特有の剛性と耐力、及び低降伏点鋼板６に特有の剪断降伏により、高耐力でしかもエネルギ吸収能力が大きく、靱性に優れた制震機能を発揮する。
【００２２】
なお、上記実施例３の場合にも、上記実施例１と同様に、合成波形鋼板を構成する普通鋼板で製作された波形鋼板５及びその一部をなす低降伏点鋼板６それぞれの板厚、重ね合わせ枚数、波形のピッチと波高、鋼板強度の適切な設計により剛性と耐力の大きさが適切に制御される（請求項５に記載した発明）。
また、合成波形鋼板と周辺架構の接合方法、及び剪断変形を許容する隙間の形成と、前記隙間を剪断変形吸収部材で充填すること等々は、全く同様な条件で実施される。
【実施例４】
【００２３】
最後に、図５Ａ、Ｂは、上述の請求項１〜６に記載した発明に係る制震壁を適用した構造物の一例を示す。
図中の符号１０が上記波形鋼板３又は合成波形鋼板による制震壁を指し、同制震壁１０が構造物のフレーム架構の中にいわば市松模様状の配置に組み込まれた実施例を示す。勿論、制震壁１０の適用例は図示の限りではなく、コア部その他へ組み込んで実施することができる。
【符号の説明】
【００２４】
１ 柱
２ 梁
３ 波形鋼板
４ 隙間
５ 普通鋼で製作した波形鋼板
６ 低降伏点鋼板
１０ 制震壁
【図１】
2010084514.tif 000003
【図２】
2010084514.tif 000004
【図３】
2010084514.tif 000005
【図４】
2010084514.tif 000006
【図５】
2010084514.tif 000007
【図６】
2010084514.tif 000008
【図７】
2010084514.tif 000009
【図８】
2010084514.tif 000010
【図９】
2010084514.tif 000011